(57)【特許請求の範囲】
【請求項１】
建物のパラペットの上端部に覆い被さるキャップと、前記パラペットの頂部に載置され前記キャップに嵌合係止する受具と、この受具の幅方向に交差するように中央部が受具の上部を跨いで設けられ両端部が前記パラペットに固定される受具固定具と、この受具固定具と前記受具との間に介在される弾性材とからなることを特徴とする耐震用笠木。
【請求項２】
建物のパラペットの上端部に覆い被さるキャップと、前記パラペットの頂部に載置され前記キャップに嵌合係止する受具と、この受具の幅方向に交差するように中央部が受具の上部を跨いで設けられ両端部が前記パラペットに固定される受具固定具と、この受具固定具と前記受具との間に介在される弾性材と、前記受具の下面部と前記パラペットとの間に介在される弾性材とからなることを特徴とする耐震用笠木。
【請求項３】
建物のパラペットの上端部に覆い被さるキャップと、前記パラペットの頂部に固定される受具固定具と、この受具固定具の上に介在される弾性材と、この弾性材の上に載置され前記キャップに嵌合係止する受具と、この受具の上に跨って前記受具固定具に止着する受具固定板とからなることを特徴とする耐震用笠木。
【発明の詳細な説明】
【０００１】
【発明の属する技術分野】
本発明は、建物の躯体屋上に設けられたパラペットの頂部に取り付けられる笠木に関するもので、地震などの振動を吸収する構造を有する耐震用笠木に関するものである。
【０００２】
【従来の技術】
ＰＣパネル、ＡＬＣパネルを建物躯体に取り付ける場合、パネル同士にある程度の間隙を設け、地震などによる躯体に取り付けられたパネルの変形や破壊を防止するためにパネル同士がある程度可動できるような取付構造とされている（ロッキング構法といわれている）。
【０００３】
〔問題点〕
しかしながら、このような取付構造からなるパネル頂部に、従来の構造の金属製笠木をそのまま取り付けた場合では、笠木は長尺状でありパネル間に跨って敷設されるので、前記のようなパネルの動きに追随できなくて笠木の変形や破壊が生起するという問題点を有していた。
【０００４】
このような問題点を解決する先行技術としては、特開平８−１９３３９５号（図２６参照）のようなものがある。この発明における笠木はＰＣパネルやＡＬＣパネル等のパネルを現場取付け乃至現場組立てして構成されたパネル躯体パラペット１０３を保護するように、パラペット天端面を跨いで固着したホルダー１０４にカバー材１０５を被嵌した構成の笠木１０１において、パネル目地部Ｃの近接位置に固着したホルダー１０４，１０４或いはパネル目地部近傍のパラペット天端面から目地部方向に上下の弾性を有するバネ体１０６，１０６を延設し、カバー材１０５，１０５はその継目が上記パネル目地部Ｃと略合致するようにしてホルダー１０４，１０４に嵌合すると共に、この継目部分には、その両側のカバー材１０５，１０５の内側部分に亘る長さを有するジョイントプレート１０７を上記両カバー材１０５，１０５の内側に当接するように配設させ、上記バネ体１０６，１０６によって上記ジョイントプレート１０７を上記両カバー材１０５，１０５に圧接させてなる構成を有する笠木１０１が提案されている。
【０００５】
この笠木１０１の構造は、躯体に取り付けられたパネルの幅サイズ 600ｍｍと同等な長さの笠木とするために、従来の笠木の長さ 3000ｍｍ、4000ｍｍと比較すると多数個の笠木、及びジョイント部材を敷設することになり、施工性が劣り、またパネル目地部Ｃが多数個みえるために、美観性が良くないという問題点を有するものであった。
【０００６】
【発明が解決しようとする課題】
本発明は、従来の技術における前記問題点に鑑みて成されたものであり、これを解決するため具体的に設定した技術的な課題は、従来のままの長さを有するキャップがパネル間に跨って設けられた構造であったとしても、地震などによる振動を吸収でき、キャップが受具より脱落しないようにした耐震用笠木を提供するものである。
【０００７】
【課題を解決するための手段】
前記課題を効果的に解決できる具体的に構成された手段としての本発明における請求項１に係る耐震用笠木は、建物のパラペットの上端部に覆い被さるキャップと、前記パラペットの頂部に載置され前記キャップに嵌合係止する受具と、この受具の幅方向に交差するように中央部が受具の上部を跨いで設けられ両端部が前記パラペットに固定される受具固定具と、この受具固定具と前記受具との間に介在される弾性材とからなることを特徴とするものである。
このような構成によって、受具とこの受具をパラペットの頂部に固定する受具固定具との間に弾性材を介在させて、ＰＣパネルやＡＬＣパネルが変動したとしても、受具とこれに嵌合係止されているキャップは、その層間変位を弾性材で吸収することが可能となり、キャップは受具からの脱落が生じなくなり、さらに隣接するキャップ同士は接触することがないから、キャップの変形、破損が防止される。
【０００８】
また、請求項２に係る耐震用笠木は、建物のパラペットの上端部に覆い被さるキャップと、前記パラペットの頂部に載置され前記キャップに嵌合係止する受具と、この受具の幅方向に交差するように中央部が受具の上部を跨いで設けられ両端部が前記パラペットに固定される受具固定具と、この受具固定具と前記受具との間に介在される弾性材と、前記受具の下面部と前記パラペットとの間に介在される弾性材とからなることを特徴とするものである。
この構成でも、受具の上下両方に弾性材を介在させているから、ＰＣパネルやＡＬＣパネルが変動したとしても、受具とこれに嵌合係止されているキャップは、その層間変位を弾性材で吸収することが可能となって、キャップは受具からの脱落が生じなくなり、隣接するキャップ同士は接触することがなく、変形、破損がなくなる。
【０００９】
また、請求項３に係る耐震用笠木は、建物のパラペットの上端部に覆い被さるキャップと、前記パラペットの頂部に固定される受具固定具と、この受具固定具の上に介在される弾性材と、この弾性材の上に載置され前記キャップに嵌合係止する受具と、この受具の上に跨って前記受具固定具に止着する受具固定板とからなることを特徴とするものである。
このような構成であっても、受具の下方に弾性材を介在させているから、ＰＣパネルやＡＬＣパネルが変動したとしても、受具とこれに嵌合係止されているキャップは、その層間変位を弾性材で吸収することが可能となり、キャップは受具からの脱落が生じなくなり、隣接するキャップ同士は接触することがなく、変形、破損がなくなる。
【００１０】
【発明の実施の形態】
以下、本発明の実施の形態を具体的に説明する。
ただし、この実施の形態は、発明の主旨をより良く理解させるため具体的に説明するものであり、特に指定のない限り、発明内容を限定するものではない。
【００１１】
〔第１実施形態〕
〔構成〕
この第１実施形態の笠木は、図１に示すように，建物のパラペット１の頂部に載置される受具２と、この受具の幅方向に交差するように上部を跨いで設けられパラペット１にネジ止め等により固定される受具固定具３と、この受具固定具３と受具２との間に介在される角棒状に形成された複数の弾性材４，４と、受具２の下端縁に係止端を嵌合係止してパラペット１の頂部に笠木を形成するキャップ５と、パラペット１の頂部と受具２との間に介装して載置した受具２を支持するための基礎部材となる平プレート６とからなる。
【００１２】
図２〜５に示すように、受具２は、パラペット１の幅方向に跨り、中央部に位置する基板２ａの両端から下方に垂下する側板２ｂ，２ｂを有した断面形状が開口側を下向きにした略コの字形状をなした部材で、基板２ａの中央部に平プレート６を止めるビス７，７が挿通される長孔２ｃを長手方向の中心線上に穿設し、その長孔２ｃの両端部の外側には長孔２ｃに対して直交する方向又は受具２の幅方向に延設したキャップ支えとなる断面Ｔ型の突出部２ｄ，２ｄを立設し、この突出部２ｄ，２ｄの上端面にはゴム等の弾性体からなり、キャップ５の裏面部に当接する弾性部材２ｅ，２ｅが貼着されている。
【００１３】
受具固定具３は、受具２の幅方向に跨り，中央部に位置する上面部３ａの両端から略垂直に垂下される側板３ｂ，３ｂと、この側板３ｂ，３ｂから水平方向に外方へ向けて延設される固定部３ｃ，３ｃとからなる断面形状が略ハット型を形成する。そして、側板３ｂ，３ｂと固定部３ｃ，３ｃとの境界部には平プレート６を嵌着するための段差部３ｄ，３ｄを形成し、上面部３ａの中央部下面側には幅方向に延設して垂下して両側にそれぞれ弾性材４，４が収容される空間を区画するリブ３ｅを設ける。リブ３ｅの下端面にはビス７，７を螺着するネジ溝３ｆを設けて係着部を形成する。さらに、各固定部３ｃ，３ｃにはパラペット１にアンカープラグ８，８で止着するための幅方向に長く形成された固定孔３ｇ，３ｇを穿設する。
【００１４】
弾性材４は、直方体形状に形成した硬質ゴム等の耐候性を有する弾性体により製造される。
キャップ５は、図４に示されているように、断面が開口側を下向きにした略コの字形状に形成された長尺の部材で、下方に垂下された両側部５ａ，５ａの下方には内面側に突出している係止部５ｂ，５ｂが設けられ、このキャップ５を受具２の上方から受具２に被せるように押し込むと、キャップ５の両側部５ａ，５ａは金属の持つ弾力性により拡開されて、受具２の側板２ｂ，２ｂの下端縁に嵌合係止され、抜けにくくされている。
【００１５】
平プレート６は、矩形状をなしており、パラペット１に載置され受具２の下面に当接されるもので、パラペット１の幅方向に２箇所のビス孔６ａ，６ａを長手方向に延設した中心線上に並べて穿設してビス７，７を挿通することができるようにしている。
【００１６】
図７（Ｂ）に示すように、パラペット１に取り付ける笠木の取付個数は、キャップ５の幅寸法や長さによって変わるものではあるが、キャップ長さ1440ｍｍまでは２個、それ以上のキャップ長さでは３〜４個等と、キャップ５の長さに合わせて調節する。
また、図８（Ｂ）はパネルの目地間に、隣接するキャップ５，５の目地が合致した場合の施工を示す図で、キャップ５と隣り合うキャップ５との間には、約６ｍｍ程度の間隔を設け、このキャップ５の端部間には断面形状が開口側を下向きにした略コの字状の水切りプレート９を内装して雨水の侵入を防ぐようにする。
【００１７】
〔作用効果〕
このように構成した第１実施形態の笠木は、地震等の振動によりパネル幅方向の中心部で左右に傾斜することになると、受具固定具３と平プレート６は、パネルの傾斜に応じて傾く。この時、図６に示すように，受具固定具３はパラペット１にアンカープラグ８，８で取り付けられているから天端部の傾斜に応じて傾く。しかし、受具２の基板２ａは受具固定具３の上部に形成された中空部内でフリーな状態となっているから、中空部に介在された弾性材４，４は、パネルの傾斜に応じて圧縮され、また基板２ａの下端側に空隙部が形成され、受具２の基板２ａは水平状態を保つことにより、受具２と嵌合係止されているキャップ５は水平維持されるようになる。
【００１８】
このため、図７（Ａ）に示す従来の弾性材を有しない笠木構造では、パラペット１に対してキャップ５が大きく傾斜して修復を必要とするのに対して、図７（Ｂ）に示す本実施形態の笠木構造では、キャップ５は水平状態を維持し、振動などによるパネルの傾斜を吸収することができる。
【００１９】
図８（Ａ），（Ｂ）は、隣接するパネルの目地と、隣接するキャップの目地部が合致した場合の笠木構造を示すものである。このような場合が最も傾斜により段差が生じるところである。図８（Ａ）に示す従来の笠木１０では、パラペット１に対してキャップ５が大きく傾斜するため、キャップ５と隣り合うキャップ５との間で端部が大きくずれ、水切りプレート９が逆向きに大きく傾斜して外れそうになり、互いの端部が衝突するのに対して、図８（Ｂ）に示す本実施形態の笠木では、互いに隣り合うキャップ５との間のずれが小さく、水切りプレート９の傾斜も小さく、隣り合うキャップ５との間の間隙が極端に狭くなることもなく、端部が衝突するなどの不具合を生じることがなくなるとともに、端部の衝突によるキャップ５の破損や破壊を防止することができる。
【００２０】
また、地震等の振動を弾性材４，４が吸収することができ、受具２とキャップ５との係合係止が外れることがなくなり、キャップ５の脱落を防止することができる。
ＰＣパネル、ＡＬＣパネルのパラペット１に取り付ける取付個数が、キャップ５の幅寸法や長さによって変わるものであるけれども、任意に調節できるようにしたから、準備作業が個数の調節で済み、笠木の取付けが容易にできる。
従来のパネル幅寸法に合わせてキャップ長さを切断するようなことがなくなり、施工できるので、施工性が向上し，かつ受具２の数及びジョイント金具の数量を削減でき、コストを削減する。
【００２１】
〔第２実施形態〕
〔構成〕
この実施形態は第１実施形態と略同じ基本形態で、建物の躯体が隣接されており、その建物のパラペット１が近接されている場合の笠木構造を示すものである。
この第２実施形態の笠木は、図９〜１３に示すように，近接されて略２枚重ねのパラペット１，１の両頂部に載置される受具２２と、この受具の幅方向に交差するように上部を跨いで設けられパラペット１にアンカープラグ８等により固定される２つの受具固定具３，３と、受具２２と受具固定具３，３との間に各１つの受具固定具３に対して２個づつ介在される角棒状に形成された弾性材４，４と、受具２２の下端縁に係止端を嵌合係止してパラペット１の頂部に笠木を形成するキャップ５と、パラペット１の頂部と受具２２との間に介装して載置した受具２２を支持するための基礎部材となる平プレート６，６とからなる。
【００２２】
受具２２は、配設された２つのパラペット１，１の幅方向に跨り、中央部に位置する基板２２ａの両端から下方に垂下する側板２２ｂ，２２ｂを有した、断面形状が開口側を下向きにした略コの字形状をなした部材である。基板２２ａの長手方向の中心線上で中央に対して対称な位置に、平プレート６，６を止めるビス７，７が貫通する２つの長孔２２ｃ，２２ｃを穿設しており、この長孔２２ｃ，２２ｃの外側に直交する方向にキャップ５の支えとなっている断面Ｔ型の突出部２２ｄ，２２ｄが立設されている。この突出部２２ｄ，２２ｄの上端面にはゴム等の弾性体からなる弾性部材２２ｅ，２２ｅが貼着されている。受具２２の大きさは、少なくとも重ねられた２つのパラペット１，１の幅方向に跨るために必要な大きさを有する形状に形成される。
【００２３】
〔作用効果〕
地震等の振動により各パラペット１，１にずれ等が生じた場合、図１４に示すように、パネル幅方向の中心部で左右に傾斜することになると、各受具固定具３，３と平プレート６，６は各パラペット１，１にアンカープラグ８，８で取り付けられているから天端部の傾斜に応じて傾くが、受具２２の基板２２ａが各受具固定具３，３の上部に形成された中空部内でフリーな状態になっているから、中空部に介在された弾性材４，４はパネルの傾斜に応じて圧縮され、また、基板２２ａの下側に空隙部が形成され、受具２２の基板２２ａは水平状態を保つことにより、受具２２と嵌合係止されているキャップ５は水平維持することが可能となる。
この実施形態は、建物の躯体が隣接されており、その建物のパラペット１が近接されている場合の笠木にも使用できるものである。
【００２４】
〔第３実施形態〕
〔構成〕
この第３実施形態は、第１実施形態の弾性体が２つの矩形体を使用した笠木であるのに対して、弾性体の形状を１枚の平板状に変更した笠木の実施形態である。
【００２５】
この第３実施形態の笠木は、図１５〜１７に示すように，建物のパラペット１の頂部に載置される受具２と、この受具２の幅方向に交差するように上部を跨いで設けられパラペット１にアンカープラグ８等により固定される受具固定具３３と、この受具固定具３３と受具２との間に介在される厚板の平板に形成された１枚の弾性材３４と、受具２の下端縁に係止端を嵌合係止してパラペット１の頂部に笠木を形成するキャップ５とからなる。
【００２６】
受具２及びキャップ５は第１実施形態と同様の形態を有し、また平プレートは第１実施形態とは異なり用いない。
受具固定具３３は、受具２の幅方向に跨り，中央部に位置する上面部３３ａの両端から略垂直に垂下される側板３３ｂ，３３ｂと、この側板３３ｂ，３３ｂから水平方向に外方へ向けて延設される固定部３３ｃ，３３ｃとからなる断面形状が略ハット型を形成する。そして、各固定部３３ｃ，３３ｃにはパラペット１にアンカープラグ８，８で止着するための幅方向に長く形成された固定孔３３ｇ，３３ｇを穿設する。
弾性材３４は、硬質ゴム等の耐候性を有する比較的厚めに形成された平板状弾性体に形成される。この弾性材３４の平面形状は、受具固定具３３の上面部３３ａと側板３３ｂ，３３ｂにより囲まれた空間部に嵌込可能な矩形を形成する。
【００２７】
〔作用効果〕
このように構成した第３実施形態では、地震等の振動によりパラペット１にずれ等が生じた場合、パネル幅方向の中心部で左右に傾斜することになると、各受具固定具３３は各パラペット１にアンカープラグ８，８で取り付けられているから天端部の傾斜に応じて傾くが、受具２の基板２ａは受具固定具３３の上部に形成された空間部内でフリーな状態となっているから、中空部に介在された弾性材３４は、パネルの傾斜に応じて圧縮され、また基板２ａの下側に空隙部が形成され、受具２の基板２ａは水平状態を保つことにより、受具２と係合係止されているキャップ５は水平維持することが可能となる。そしてパラペット１との傾斜角が異なるもののキャップ５は水平状態を維持して、特に修復を必要とするほどの傾斜を生じないで済むようになる。第１実施形態と比較して部品点数が減少し、簡便な構造となり、同様なる効果が得られるものである。
【００２８】
〔第４実施形態〕
〔構成〕
この第４実施形態は、受具と受具固定具との上下関係を第１実施形態と逆に形成した笠木である。
この第４実施形態の笠木は、図１８〜２０に示すように，建物のパラペット１の頂部に載置されてパラペット１にアンカープラグ８等により固定される受具固定具４３と、この受具固定具４３の幅方向に交差するように上部を跨いで設けられてネジ止め等により固定される受具２と、受具固定具４３の頂部に載置して受具２と弾性材４，４とを上方から押圧して介装する平プレート４６とを有する。
【００２９】
受具２、弾性材４及びキャップ５は第１実施形態と同様に形成する。
受具固定具４３は、上面部の中央部に幅方向に延設して立設した中央部のリブ４３ａと、このリブ４３ａの位置から互いに長手方向外方に向けて等間隔あけた位置に立設した平プレート受け４３ｂ，４３ｂと、この平プレート受け４３ｂ，４３ｂのさらに外方に位置する両端部にはパラペット１にアンカープラグ８，８で止着するための幅方向に長く形成された固定孔４３ｇ，４３ｇを穿設して、裏返した略下駄型の部材を形成する。
【００３０】
そして、平プレート受け４３ｂ，４３ｂは、互いの間隔を受具２の幅よりもやや広めにして受具２をはめ込めるように形成し、さらに中央部のリブ４３ａよりも高く形成し、上端部は平プレート４６を嵌着するための嵌合用拡幅部４３ｈ，４３ｈを形成する。
平プレート４６は、矩形状をなしており、平プレート受け４３ｂ，４３ｂの嵌合用拡幅部４３ｈ，４３ｈに嵌め込まれることにより、受具２の基板２ａと弾性材４，４を上下動可能に組み付けるもので、受具固定具４３の幅方向に２箇所のビス孔４６ａ，４６ａを中心線上に並べて穿設してビス７，７を挿通することができるようにしている。
【００３１】
形成された受具固定具４３にはリブ４３ａが受具２の長孔２ｃに挿通されて受具２の下面を受具固定具４３の上面に密着し、平プレート受け４３ｂ，４３ｂの間に空いている空間には弾性材４，４をリブ４３ａにより仕切られた空間部に各1つを載置し、平プレート受け４３ｂ，４３ｂの嵌合用拡幅部４３ｈ，４３ｈに平プレート４６をはめ込むようにして取り付け、ビス７，７をリブ４３ａに形成されたネジ溝４３ｆ，４３ｆにねじ込んで固定することによって組み付ける。
【００３２】
〔作用効果〕
地震等の振動によりパネル幅方向の中心部で左右に傾斜することになると、受具固定具４３と平プレート４６は、パネルの傾斜に応じて傾く。この時、受具固定具４３はパラペット１にアンカープラグ８，８で取り付けられているから天端部の傾斜に応じて傾くが、受具２の基板２ａが受具固定具４３の上部に立設された平プレート受け４３ｂ，４３ｂにより形成された空間部内でフリーな状態になっているから、空間部内に介在された弾性材４，４がパネルの傾斜に応じて圧縮され、また、基板２ａの下側に空隙部が形成され、受具２の基板２ａは水平状態を保つことにより、受具２と嵌合係止されているキャップ５は水平維持することが可能となる。
【００３３】
〔第５実施形態〕
〔構成〕
この第５実施形態は、図２１および図２２に示すように、第４実施形態の受具２と弾性材４との配置を逆にして形成した笠木である。したがって、各部の構成は第４実施形態の場合と同様であり，組立の状態が異なるものである。
笠木の組立には、受具固定具４３の平プレート受け４３ｂ，４３ｂの間に空いている空間に弾性材４，４をリブ４３ａにより仕切られた空間部に各1つ載置して、受具固定具４３のリブ４３ａを受具２の長孔２ｃに挿通して受具２の下面を受具固定具４３の上面に近接する方向に配置し、平プレート受け４３ｂ，４３ｂの嵌合用拡幅部４３ｈ，４３ｈに平プレート４６を嵌め込むようにして取り付け、ビス７，７をリブ４３ａに形成されたネジ溝４３ｆ，４３ｆにねじ込んで固定することによって組み付ける。
【００３４】
〔作用効果〕
地震等の振動によりパネル幅方向の中心部で左右に傾斜することになると、受具固定具４３と平プレート４６は、パネルの傾斜に応じて傾くが、受具２の基板２ａが受具固定具４３の上部に立設された平プレート受け４３ｂ，４３ｂにより形成された空間部内でフリーな状態になっているから、空間部内に介在された弾性材４，４は、パネルの傾斜に応じて圧縮され、また、基板２ａの下側に空隙部が形成され、受具２の基板２ａは水平状態を保つことにより、受具２と嵌合係止されているキャップ５を水平維持することが可能となる。
【００３５】
〔第６実施形態〕
〔構成〕
この第６実施形態は、第１実施形態の受具固定具を深めに形成して受具の上下に弾性材を配置して、受具の変位を大きくすることができるようにするとともに、変位による受具２の基板２ａと、受具固定具６３及び平プレート６６の接触音を解消するように形成した笠木である。
【００３６】
この第６実施形態の笠木は、図２３〜２５に示すように，建物のパラペット１の頂部に載置される受具２と、この受具の幅方向に交差するように上部を跨いで設けられパラペット１にネジ止め等により固定される受具固定具６３と、この受具固定具６３と受具２との間に介在される角棒状に形成された複数の弾性材４，４と、受具２の下端縁に係止端を嵌合係止してパラペット１の頂部に笠木を形成するキャップ５と、パラペット１の頂部と受具２との間に介装して載置した受具２を支持するための基礎部材となる平プレート６６と、受具２と平プレート６６との間に介在させる矩形平板状に形成された複数の弾性材６４，６４とからなる。
【００３７】
受具２、弾性材４、キャップ５は第１実施形態の構成と同様に形成する。
受具固定具６３は、受具２の幅方向に跨り，中央部に位置する上面部６３ａの両端から略垂直に第１実施形態の場合よりも長めに垂下される側板６３ｂ，６３ｂと、この側板６３ｂ，６３ｂから水平方向に外方へ向けて延設される固定部６３ｃ，６３ｃとからなる断面形状が略ハット型を形成する。そして、側板６３ｂ，６３ｂと固定部６３ｃ，６３ｃとの境界部には平プレート６６を嵌着するための段差部６３ｄ，６３ｄを形成し、上面部６３ａの中央部下面側には幅方向に延設して垂下して両側にそれぞれ弾性材４，４及び弾性材６４，６４並びに受具２の基板２ａが収容される空間を区画するリブ６３ｅを設ける。リブ６３ｅの下端面にはビス７，７を螺着するネジ溝６３ｆを設けて係着部を形成する。さらに、各固定部６３ｃ，６３ｃにはパラペット１にアンカープラグ８，８で止着するための幅方向に長く形成された固定孔６３ｇ，６３ｇを穿設する。
【００３８】
弾性材６４は、受具固定具６３の側板６３ｂ，６３ｂにより形成された空間部に嵌め込まれるために必要な大きさを有する厚肉矩形状平板に形成された硬質ゴム等の耐候性を有する弾性体により製造される。
平プレート６６は、受具固定具６３の段差部６３ｄ，６３ｄに嵌め込むために必要な大きさを有する厚肉矩形状平板をなし、パラペット１の幅方向に２箇所のビス孔６６ａ，６６ａを長手方向に延設した中心線上に並べて穿設してビス７，７を挿通することができるようにしている。
【００３９】
〔作用効果〕
地震等の振動によりパネル幅方向の中心部で左右に傾斜することになると、受具固定具６３と平プレート６６は、パネルの傾斜に応じて傾くが、受具２の基板２ａが受具固定具６３の上部に形成された空間部内で、基板２ａの上下に設けられた弾性材４と弾性材６４とにより挟持されてフリーな状態になっているから、空間部に介在された弾性材４，４及び弾性材６４が押圧側では圧縮され緩み側では膨張して、キャップ５の水平状態をより広い範囲で維持できるように受具２の基板２ａを相対的に変位させることにより、キャップ５の水平が維持できるようになる。そして、受具２の基板２ａの上下に弾性材４，４及び弾性材６４を介在させたことにより、受具２の基板２ａと平プレート６６もしくは受具固定具６３との金属接触音の発生を解消することができるようになる。尚、弾性材４，４もしくは弾性材６４の何れか一方の弾性材は比較的に薄いシート状のものを貼付し、金属接触音の発生を防止するようにしても良い。
【００４０】
【発明の効果】
以上のように、本発明における請求項１に係る耐震用笠木では、ＰＣパネルやＡＬＣパネルが変動したとしても、受具と受具固定具との間に挟持された弾性体によってパラペットから切り離されて受具がフリーな状態になっているから、受具とこれに嵌合係止されているキャップは、その層間変位を内装された弾性材で吸収することができ、キャップは受け具から脱落しなくなり、さらに隣接するキャップ同士は接触することがないから、キャップの変形、破損が防止できる。また、従来例のようにＰＣパネルやＡＬＣパネルなどのパネル幅に合わせてキャップの長さを切断して調節する必要がなく、キャップをそのまま施工できるので、施工性も簡便であり、かつ笠木受具の数及びジョイント金具の点数を減らすことができて、コストを低減することができる。
【００４１】
また、請求項２に係る耐震用笠木では、ＰＣパネルやＡＬＣパネルが変動したとしても、受具とこれに嵌合係止されているキャップは、受具の上下両方に介在させた弾性体により層間変位が吸収され、振動による受具の基板と受具固定具との金属接触音が解消される。また、受具からキャップが脱落しなくなり、隣接するキャップ同士を接触させず、変形、破損をなくすことができる。また、パネル幅に合わせてキャップの長さを調節することなく施行できるので施工性も簡便であり、かつ受具の数及びジョイント金具の点数を減らすことができて、コストを低減することができる。
【００４２】
また、請求項３に係る耐震用笠木では、ＰＣパネルやＡＬＣパネルが変動したとしても、受具とこれに嵌合係止されているキャップは、受具の下方に介在させた弾性材により層間変位を吸収することができ、受具からキャップが脱落しなくなり、隣接するキャップ同士を接触させず、変形、破損をなくすことができる。また、パネル幅に合わせてキャップの長さを調節することなく施工できるので施工性も簡便であり、かつ受具の数及びジョイントの点数を減らすことができて、コストを低減することができる。
【図面の簡単な説明】
【図１】本発明の第１実施形態における耐震用笠木を示す斜視説明図である。
【図２】本発明の第１実施形態における耐震用笠木を示す分解斜視説明図である。
【図３】本発明の第１実施形態における耐震用笠木を示す正面断面説明図である。
【図４】本発明の第１実施形態における耐震用笠木のパラペットへの取付状態を示す側面断面説明図である。
【図５】本発明の第１実施形態における耐震用笠木のパラペットへの取付状態を示す平面説明図である。
【図６】本発明の第１実施形態における耐震用笠木の振動などによるパネル傾斜時の状態を示す正面断面説明図である。
【図７】本発明の第１実施形態における耐震用笠木の振動等によるパネル傾斜時の笠木の状態を従来の笠木の場合とともに示す正面説明図であり、（Ａ）は従来の笠木の場合、（Ｂ）は第１実施形態の笠木の場合である。
【図８】本発明の第１実施形態における耐震用笠木の振動等によるパネル傾斜時の笠木キャップの繋ぎ目の状態を従来の笠木の場合とともに示す正面説明図であり、（Ａ）は従来の笠木の場合、（Ｂ）は第１実施形態の笠木の場合である。
【図９】本発明の第２実施形態における耐震用笠木を示す斜視説明図である。
【図１０】本発明の第２実施形態における耐震用笠木を示す分解斜視説明図である。
【図１１】本発明の第２実施形態における耐震用笠木を示す正面断面説明図である。
【図１２】本発明の第２実施形態における耐震用笠木のパラペットへの取付状態を示す側面断面説明図である。
【図１３】本発明の第２実施形態における耐震用笠木のパラペットへの取付状態を示す平面説明図である。
【図１４】本発明の第２実施形態における耐震用笠木の振動等によるパネル傾斜時の状態を示す側面断面説明図である。
【図１５】本発明の第３実施形態における耐震用笠木を示す斜視説明図である。
【図１６】本発明の第３実施形態における耐震用笠木を示す分解斜視説明図である。
【図１７】本発明の第３実施形態における耐震用笠木を示す正面断面説明図である。
【図１８】本発明の第４実施形態における耐震用笠木を示す斜視説明図である。
【図１９】本発明の第４実施形態における耐震用笠木を示す分解斜視説明図である。
【図２０】本発明の第４実施形態における耐震用笠木を示す正面断面説明図である。
【図２１】本発明の第５実施形態における耐震用笠木を示す分解斜視説明図である。
【図２２】本発明の第５実施形態における耐震用笠木を示す正面断面説明図である。
【図２３】本発明の第６実施形態における耐震用笠木を示す斜視説明図である。
【図２４】本発明の第６実施形態における耐震用笠木を示す分解斜視説明図である。
【図２５】本発明の第６実施形態における耐震用笠木を示す正面断面説明図である。
【図２６】従来の笠木を示す斜視説明図である。
【符号の説明】
１  パラペット
２，２２，５２  受具
３，３３，４３，６３  受具固定具
４，３４，６４  弾性材
５  キャップ
６，４６，６６  平プレート
７  ビス
８  アンカープラグ
９  水切りプレート
１０  従来の笠木
【図１】
0004101480.tif 000002
【図２】
0004101480.tif 000003
【図３】
0004101480.tif 000004
【図４】
0004101480.tif 000005
【図５】
0004101480.tif 000006
【図６】
0004101480.tif 000007
【図７】
0004101480.tif 000008
【図８】
0004101480.tif 000009
【図９】
0004101480.tif 000010
【図１０】
0004101480.tif 000011
【図１１】
0004101480.tif 000012
【図１２】
0004101480.tif 000013
【図１３】
0004101480.tif 000014
【図１４】
0004101480.tif 000015
【図１５】
0004101480.tif 000016
【図１６】
0004101480.tif 000017
【図１７】
0004101480.tif 000018
【図１８】
0004101480.tif 000019
【図１９】
0004101480.tif 000020
【図２０】
0004101480.tif 000021
【図２１】
0004101480.tif 000022
【図２２】
0004101480.tif 000023
【図２３】
0004101480.tif 000024
【図２４】
0004101480.tif 000025
【図２５】
0004101480.tif 000026
【図２６】
0004101480.tif 000027